(57)【要約】【課題】放送の受信中でもアップミックス機能を有効活用できるようにし、かつ、音揺れや音切れなどの不快感を生じさせない「オーディオシステムおよび音声処理装置」を提供する。【解決手段】音源装置からのステレオ音声信号に対してイコライザ処理を行うことにより疑似サラウンド音声信号を生成する第１のイコライザ部５１と、アップミキシングＤＳＰにより生成されたサラウンド音声信号と疑似サラウンド音声信号との何れかを切り替えて外部アンプに出力する出力切り替え部５２とを備え、デジタル放送の受信中はサラウンド音声信号を外部アンプに出力する一方、アナログ放送の受信中は疑似サラウンド音声信号を外部アンプに出力することにより、デジタル放送の受信中にはアップミックス機能を有効活用しつつ、アナログ放送の受信中には音揺れや音切れが生じないようにする。【選択図】図２
2013223217.tif 000002
【特許請求の範囲】
【請求項１】
音源装置から入力される音声信号を処理する音声処理装置と、上記音声処理装置の外部に接続された外部アンプとを備えたオーディオシステムであって、上記音声処理装置は、
上記音源装置から入力されるステレオ音声信号に対してアップミックス処理を行うことによってサラウンド音声信号を生成するアップミキシング部と、
上記音源装置から入力されるステレオ音声信号に対してイコライザ処理を行うことによって疑似サラウンド音声信号を生成する第１のイコライザ部と、
上記サラウンド音声信号および上記疑似サラウンド音声信号の何れかを切り替えて上記外部アンプに出力する出力切り替え部とを備えたことを特徴とするオーディオシステム。
【請求項２】
上記音源装置から入力される上記ステレオ音声信号がデジタル放送の受信によるものである場合、上記出力切り替え部は、上記サラウンド音声信号を上記外部アンプに出力することを特徴とする請求項１に記載のオーディオシステム。
【請求項３】
上記音源装置から入力される上記ステレオ音声信号がアナログ放送の受信によるものである場合、上記出力切り替え部は、上記疑似サラウンド音声信号を上記外部アンプに出力することを特徴とする請求項２に記載のオーディオシステム。
【請求項４】
上記音源装置から入力される上記ステレオ音声信号がアナログ放送の受信によるものである場合、上記アップミキシング部の動作を停止させることを特徴とする請求項３に記載のオーディオシステム。
【請求項５】
上記アップミキシング部は、左チャンネルおよび右チャンネルから成る上記ステレオ音声信号に対してアップミックス処理を行うことによって、左チャンネル、右チャンネル、サラウンド左チャンネル、サラウンド右チャンネル、センターチャンネルおよびサブウーハチャンネルから成る５．１チャンネルのサラウンド音声信号を生成し、
上記第１のイコライザ部は、上記左チャンネルおよび右チャンネルから成る上記ステレオ音声信号に対してイコライザ処理を行うことによって、左信号、右信号および左右混合信号を生成し、上記左信号を左チャンネルの信号およびサラウンド左チャンネルの信号として出力し、上記右信号を右チャンネルの信号およびサラウンド右チャンネルの信号として出力し、上記左右混合信号をセンターチャンネルの信号およびサブウーハチャンネルの信号として出力することを特徴とする請求項１に記載のオーディオシステム。
【請求項６】
上記外部アンプは、上記音声処理装置から入力された音声信号に対してイコライザ処理を行うことによって疑似サラウンド音声信号を生成する第２のイコライザ部を備え、
上記サラウンド音声信号および上記疑似サラウンド音声信号のどちらが上記音声処理装置から出力されるときも、上記第２のイコライザ部の動作を停止させることを特徴とする請求項１に記載のオーディオシステム。
【請求項７】
音源装置から入力される音声信号を処理し、処理した音声信号を外部アンプに出力する音声処理装置であって、
上記音源装置から入力されるステレオ音声信号に対してアップミックス処理を行うことによってサラウンド音声信号を生成するアップミキシング部と、
上記音源装置から入力されるステレオ音声信号に対してイコライザ処理を行うことによって疑似サラウンド音声信号を生成する第１のイコライザ部と、
上記サラウンド音声信号および上記疑似サラウンド音声信号の何れかを切り替えて上記外部アンプに出力する出力切り替え部とを備えたことを特徴とする音声処理装置。
【発明の詳細な説明】
【技術分野】
【０００１】
本発明は、オーディオシステムおよび音声処理装置に関し、特に、音源装置から入力される音声信号を処理する音声処理装置と、当該音声処理装置の外部に接続された外部アンプとを備えたオーディオシステムに用いて好適なものである。
【背景技術】
【０００２】
従来、音声信号を扱う多くの分野において、ある数の入力オーディオチャンネルをミキシングすることで、異なる数の出力オーディオチャンネルを生成する技術が用いられている。ミキシングには、出力チャンネル数を入力チャンネル数より少なくするダウンミキシングと、出力チャンネル数を入力チャンネル数より多くするアップミキシングとがある。
【０００３】
例えば、ラジオのデジタル放送とアナログ放送とを受信可能なＤＡＢ（Digital Audio Broadcast）方式の放送受信装置において、デジタル放送の電波受信状況が悪化したとき、同一内容のアナログ放送に切り替える際に、ダウンミキシングを行う技術が提供されている（例えば、特許文献１を参照）。この特許文献１に記載の技術では、デジタル放送からアナログ放送への切り替えの際に、出力音声チャンネル数を段階的に減少させることにより、急激な音質の変化をなくし、ユーザに不快感を与えないようにしている。
【０００４】
また、ＩＢＯＣ（In-Band On-Channel）方式の地上デジタルラジオ放送であるＨＤ（Hybrid Digital）ラジオにおいても、ミキシング技術が採用されている。図５は、ＨＤラジオ放送を受信可能なオーディオシステムの従来の構成例を示す図である。図５に示すオーディオシステムは、音源装置１００、音声処理装置２００および外部アンプ３００の組み合わせにより構成されている。
【０００５】
音源装置１００は、アンテナ１０１およびチューナ１０２を備えている。音声処理装置２００は、オーディオＤＳＰ２０１、アップミキシングＤＳＰ２０２およびマイコン２０３を備えている。外部アンプ３００は、イコライザＤＳＰ３０１を備えている。
【０００６】
音源装置１００のチューナ１０２は、アンテナ１０１を介してＨＤラジオのデジタル放送およびアナログ放送を切り替えて受信し、２チャンネルのステレオ音声信号（左チャンネルのＬ信号および右チャンネルのＲ信号）を音声処理装置２００に供給する。
【０００７】
音声処理装置２００のオーディオＤＳＰ２０１は、チューナ１０２より供給されたステレオ音声信号に対して所定の処理を行い、処理した音声信号（ステレオ音声信号またはサラウンド音声信号の何れか）を外部アンプ３００のイコライザＤＳＰ３０１に供給する。
【０００８】
アップミキシングＤＳＰ２０２は、チューナ１０２からオーディオＤＳＰ２０１を介して供給された２チャンネルのステレオ音声信号（Ｌ／Ｒ信号）に対してアップミックス処理を行うことにより、左チャンネル、右チャンネル、サラウンド左チャンネル、サラウンド右チャンネル、センターチャンネルおよびサブウーハチャンネルから成る５．１チャンネルのサラウンド音声信号（Ｌ／Ｒ信号、Ｌｓ／Ｒｓ信号、Ｃ／ＳｕｂＷ信号）を生成する。
【０００９】
マイコン２０３は、外部アンプ３００のイコライザＤＳＰ３０１で音声信号をマルチチャンネル化するか否かを制御する。イコライザＤＳＰ３０１は、オーディオＤＳＰ２０１から供給される音声信号が２チャンネルのステレオ音声信号の場合に、周波数調整やレベル調整等のイコライザ機能によって、２チャンネルのステレオ音声信号を疑似的な５．１チャンネルのサラウンド音声信号（以下、疑似サラウンド音声信号という）に変換（マルチチャンネル化）する。一方、オーディオＤＳＰ２０１から供給される音声信号がサラウンド音声信号の場合は、イコライザＤＳＰ３０１は、サラウンド音声信号をそのままマルチチャンネル化せずに出力する。
【００１０】
ところで、アップミキシングＤＳＰ２０２は、Ｌ信号とＲ信号との分離比（他チャンネルから漏れる信号と自チャンネルの信号とのレベル比。以下、チャンネルセパレーションという）が良好な音源から音声信号を入力した場合には問題なく動作するが、チャンネルセパレーションが不良な音源から音声信号を入力した場合には動作が不安定になる。
【００１１】
例えば、チューナ１０２でデジタル放送を受信しているときは、オーディオＤＳＰ２０１を介してアップミキシングＤＳＰ２０２に入力されるＬ信号とＲ信号とのチャンネルセパレーションが良好なため、アップミキシングＤＳＰ２０２は問題なく動作し、良好な５．１チャンネルのサラウンド音声信号を出力することができる。
【００１２】
しかしながら、チューナ１０２でアナログ放送を受信しているときは、オーディオＤＳＰ２０１を介してアップミキシングＤＳＰ２０２に入力されるＬ信号とＲ信号とのチャンネルセパレーションが良好でないため、アップミキシングＤＳＰ２０２の動作は不安定になり、Ｌｓ／Ｒｓ信号に関して音揺れが生じたり、音切れが生じたりするという問題があった。
【００１３】
具体的には、アナログＡＭラジオを受信しているときは、モノラル信号で電界強度が弱くなるため、Ｌｓ／Ｒｓ信号が出力されなくなってしまう。一方、アナログＦＭラジオを受信しているときは、比較的電界強度が強い３５ｄＢ〜３０ｄＢの範囲で受信信号が調整されているため音切れは生じないものの、Ｌｓ／Ｒｓ信号が不安定（音揺れ）な状態になる。
【００１４】
このようなＬｓ／Ｒｓ信号の音揺れや音切れの問題を解決するために、図６に示すように、デジタル放送とアナログ放送との切り替えのタイミングに、アップミキシングＤＳＰ２０２の動作をオン／オフ制御することが考えられる。すなわち、図６（ａ）に示すように、チューナ１０２でデジタル放送を受信しているときは、アップミキシングＤＳＰ２０２をオンとする。また、外部アンプ３００がマルチチャンネル入力になることを示すマルチチャンネル信号をマイコン２０３が外部アンプ３００に供給することにより、イコライザＤＳＰ３０１で重ねてマルチチャンネル化の処理を行わないように制御する。
【００１５】
一方、図６（ｂ）に示すように、チューナ１０２でアナログ放送を受信しているときは、アップミキシングＤＳＰ２０２をオフとする。また、外部アンプ３００がステレオチャンネル入力になることを示すステレオチャンネル信号をマイコン２０３が外部アンプ３００に供給することにより、イコライザＤＳＰ３０１においてマルチチャンネル化の処理を行うように制御する。
【００１６】
しかしながら、このようにアップミキシングＤＳＰ２０２のオン／オフを切り替えた場合、マイコン２０３が外部アンプ３００に対して供給する制御信号（マルチチャンネル信号またはステレオチャンネル信号）を切り替える際に、外部アンプ３００において予測できないノイズが発生する可能性がある。そのため、このノイズが外部アンプ３００から出力されないようにするために、切り替え中は比較的長い時間（５００〜１０００ｍｓ）ミュートをかける必要がある。その結果、デジタル放送とアナログ放送との切り替え時に音切れが発生してしまうという問題が生じる。
【００１７】
そこで、マイコン２０３が外部アンプ３００に対して供給する制御信号をマルチチャンネル信号のまま切り替えずに、アップミキシングＤＳＰ２０２の方だけ動作をオン／オフ制御することが考えられる。すなわち、チューナ１０２でデジタル放送を受信しているときは、図６（ａ）と同じ状態に設定する。一方、チューナ１０２でアナログ放送を受信しているときは、図７に示すように、アップミキシングＤＳＰ２０２をオフとする。このとき、マイコン２０３が外部アンプ３００に対して供給する制御信号は、マルチチャンネル信号のままとする。
【００１８】
しかしながら、この場合は、オーディオＤＳＰ２０１から外部アンプ３００に供給される音声信号はステレオ音声信号となる。また、外部アンプ３００にはマイコン２０３からマルチチャンネル信号が供給されているから、イコライザＤＳＰ３０１においてマルチチャンネル化の処理は行われない。そのため、外部アンプ３００からはＬ／Ｒ信号のみが出力され、Ｌｓ／Ｒｓ信号、Ｃ／ＳｕｂＷ信号が欠落してしまうという問題が生じる。
【００１９】
以上のような問題があるため、従来は、音源がＨＤラジオの場合には、デジタル放送を受信しているかアナログ放送を受信しているかよらず、音声処理装置２００のアップミキシングＤＳＰ２０２は常にオフとし、外部アンプ３００のイコライザＤＳＰ３０１でマルチチャンネル化して音声出力していた。
【先行技術文献】
【特許文献】
【００２０】
【特許文献１】特開２０１０−２８７９７０号公報
【発明の概要】
【発明が解決しようとする課題】
【００２１】
しかしながら、最近のＨＤラジオでは、DTS Neural Surroundに対応した２チャンネルのダウンミックス信号を採用するケースが増えている。DTS Neural Surroundには、オリジナルの状態を極力損なわずに音声信号をダウンミックスすることができるとともに、ステレオ音声信号とサラウンド音声信号との互換性が高いというメリットがある。そのため、このメリットをできるだけ享受するために、音源としてＨＤラジオが選択されているときでも、アップミキシングＤＳＰ２０２のアップミックス機能を有効活用したいという要望が出てきている。
【００２２】
本発明は、このような実情に鑑みて成されたものであり、ＨＤラジオ等の放送を受信しているときでもアップミックス機能を有効活用できるようにし、かつ、音揺れや音切れなどの不快感をユーザに極力与えないようにすることを目的とする。
【課題を解決するための手段】
【００２３】
上記した課題を解決するために、本発明では、音源装置から入力されるステレオ音声信号を処理して外部アンプに出力する音声処理装置が、ステレオ音声信号に対してアップミックス処理を行うことによってサラウンド音声信号を生成するアップミキシング部と、ステレオ音声信号に対してイコライザ処理を行うことによって疑似サラウンド音声信号を生成する第１のイコライザ部と、サラウンド音声信号および疑似サラウンド音声信号の何れかを切り替えて外部アンプに出力する出力切り替え部とを備えるようにしている。
【発明の効果】
【００２４】
上記のように構成した本発明によれば、音源装置がＨＤラジオ等の放送受信装置であっても、当該音源装置から音声処理装置に入力されるステレオ音声信号のチャンネルセパレーションが良好な場合には、出力切り替え部の切り替えによって、アップミキシング部により生成されたサラウンド音声信号を外部アンプに出力して活用することができる。
【００２５】
また、チャンネルセパレーションが良好でない場合であっても、出力切り替え部の切り替えによって、疑似サラウンド音声信号が外部アンプに出力されるので、チャンネルの欠落は生じない。このとき出力される疑似サラウンド音声信号は、アップミックス処理により生成されるものではないので、音揺れや音切れの問題も生じない。さらに、外部アンプに出力される音声信号がサラウンド音声信号から疑似サラウンド音声信号に切り替わっても、外部アンプの動作状態を変える必要がないので、切り替えの際のノイズ対策としてミュート処理も不要で、音切れが生じない。
【００２６】
以上により、本発明によれば、音源装置として放送受信装置が選択されて放送を受信しているときでも、デジタル放送の受信時にはアップミックス機能を有効活用して高品質の音声を外部アンプから出力させることができ、しかも、アナログ放送の受信時に音揺れや音切れなどの不快感をユーザに極力与えないようにすることができる。
【図面の簡単な説明】
【００２７】
【図１】本実施形態による音声処理装置を適用したオーディオシステムの構成例を示す図である。
【図２】本実施形態によるオーディオＤＳＰの内部構成例を示す図である。
【図３Ａ】本実施形態による出力切り替え部のデジタル放送受信時における切り替え状態を示す図である。
【図３Ｂ】本実施形態による出力切り替え部のアナログ放送受信時における切り替え状態を示す図である。
【図３Ｃ】本実施形態による出力切り替え部のアップミックス機能オフ時における切り替え状態を示す図である。
【図４】本実施形態によるオーディオシステムの動作状態を示す図である。
【図５】ＨＤラジオ放送を受信可能なオーディオシステムの従来の構成例を示す図である。
【図６】音揺れや音切れの問題を解決するための一構成例を示す図である。
【図７】音揺れや音切れの問題を解決するための他の構成例を示す図である。
【発明を実施するための形態】
【００２８】
以下、本発明の一実施形態を図面に基づいて説明する。図１は、本実施形態による音声処理装置２０を適用したオーディオシステムの構成例を示す図である。図１に示すオーディオシステムは、音源装置１０、音声処理装置２０および外部アンプ３０の組み合わせにより構成されている。なお、このオーディオシステムは、例えば車両に搭載される。
【００２９】
音源装置１０は、アンテナ１１およびチューナ１２を備えている。音声処理装置２０は、音源装置１０から入力される音声信号を処理するものであり、オーディオＤＳＰ２１、アップミキシングＤＳＰ２２およびマイコン２３を備えている。音声処理装置２０の外部に接続された外部アンプ３０は、イコライザＤＳＰ３１を備えている。
【００３０】
音源装置１０のチューナ１２は、アンテナ１１を介してＨＤラジオのデジタル放送およびアナログ放送を切り替えて受信し、２チャンネルのステレオ音声信号（左チャンネルのＬ信号および右チャンネルのＲ信号）を音声処理装置２０に供給する。例えば、チューナ１２は、通常状態において、より音質の良いデジタル放送を受信している。そして、デジタル放送の電波受信状況が悪化したときに、アナログ放送の受信に自動的に切り替える。
【００３１】
チューナ１２がデジタル放送の受信とアナログ放送の受信とを切り替えた場合、チューナ１２は所定の識別情報を音声処理装置２０に供給する。例えば、チューナ１２は、音声処理装置２０に接続されたディスプレイ（図示せず）に対して、デジタル放送とアナログ放送のどちらを受信中であるかを区別してアイコン表示させるために、デジタル放送とアナログ放送のどちらを受信しているかを識別するための情報を音声処理装置２０に供給する。
【００３２】
なお、音源装置１０は、ＨＤラジオのチューナ１２の他に、ＣＤ（Compact Disc）やＤＶＤ（Digital Versatile Disk）などのデジタル音源を再生可能なメディアプレーヤ（図示せず）を備えており、ユーザが操作子（図示せず）を操作することにより、音源を任意に切り替えることができるようになっている。
【００３３】
音声処理装置２０のオーディオＤＳＰ２１は、チューナ１２より供給されたステレオ音声信号に対して所定の処理を行い、処理した音声信号（ステレオ音声信号、サラウンド音声信号または疑似サラウンド音声信号の何れか）を外部アンプ３０のイコライザＤＳＰ３１に供給する。なお、疑似サラウンド音声信号の詳細については後述する。また、オーディオＤＳＰ２１の内部構成についても後述する。
【００３４】
アップミキシングＤＳＰ２２は、チューナ１２からオーディオＤＳＰ２１を介して入力される２チャンネルのステレオ音声信号（Ｌ／Ｒ信号）に対してアップミックス処理を行うことにより、左チャンネル、右チャンネル、サラウンド左チャンネル、サラウンド右チャンネル、センターチャンネルおよびサブウーハチャンネルから成る５．１チャンネルのサラウンド音声信号（Ｌ／Ｒ信号、Ｌｓ／Ｒｓ信号、Ｃ／ＳｕｂＷ信号）に生成する。このアップミキシングＤＳＰ２２は、特許請求の範囲のアップミキシング部に相当する。
【００３５】
ここで、チューナ１２においてＨＤラジオのデジタル放送を受信している場合は、オーディオＤＳＰ２１の制御により、アップミキシングＤＳＰ２２の機能はオンとされる。これにより、チューナ１２からオーディオＤＳＰ２１に入力されたステレオ音声信号がアップミキシングＤＳＰ２２に供給され、ここでサラウンド音声信号が生成される。そして、生成されたサラウンド音声信号が、オーディオＤＳＰ２１を介して外部アンプ３０に供給される。
【００３６】
一方、デジタル放送の電波受信状況の悪化によって、チューナ１２での受信がアナログ放送の受信に自動的に切り替えられた場合、アップミキシングＤＳＰ２２の機能はオフとされ、アップミキシングＤＳＰ２２の動作は停止する。この場合にオーディオＤＳＰ２１は、チューナ１２より入力されたステレオ音声信号から疑似サラウンド音声信号を生成し、当該生成した疑似サラウンド音声信号を外部アンプ３０に供給する。
【００３７】
チューナ１２においてデジタル放送とアナログ放送のどちらを受信しているかについては、チューナ１２から音声処理装置２０に供給される識別情報に基づいて判定することが可能である。したがって、音声処理装置２０において、チューナ１２で受信した信号の電界強度やＢＥＲ（Bit Error Rate）等を監視する必要はない。
【００３８】
なお、チューナ１２においてＨＤラジオのデジタル放送を受信している場合であっても、ユーザが操作子（図示せず）を操作することにより、アップミキシングＤＳＰ２２の機能をオフに設定することも可能である。この場合にオーディオＤＳＰ２１は、チューナ１２より入力されたステレオ音声信号をそのまま外部アンプ３０に供給する。
【００３９】
マイコン２３は、外部アンプ３０のイコライザＤＳＰ３１で音声信号をマルチチャンネル化するか否かを制御する。本実施形態では、ユーザが操作子を用いて特に指示をしない限り、チューナ１２でデジタル放送を受信しているかアナログ放送を受信しているか（つまり、アップミキシングＤＳＰ２２の機能がオンであるかオフであるか）にかかわらず、イコライザＤＳＰ３１では音声信号をマルチチャンネル化しないことを原則とする。この場合、マイコン２３は、イコライザＤＳＰ３１で音声信号をマルチチャンネル化しないように制御する。具体的には、マイコン２３は、外部アンプ３００がマルチチャンネル入力になることを示すマルチチャンネル信号をイコライザＤＳＰ３１に供給する。
【００４０】
一方、ユーザが操作子を用いてアップミキシングＤＳＰ２２の機能をオフにする旨の指示を行った場合には、イコライザＤＳＰ３１では音声信号をマルチチャンネル化する。この場合、マイコン２３は、イコライザＤＳＰ３１で音声信号をマルチチャンネル化するように制御するために、外部アンプ３００がステレオチャンネル入力になることを示すステレオチャンネル信号をイコライザＤＳＰ３１に供給する。
【００４１】
イコライザＤＳＰ３１は、オーディオＤＳＰ２１から供給される音声信号が２チャンネルのステレオ音声信号の場合に、周波数調整やレベル調整等のイコライザ機能によって、２チャンネルのステレオ音声信号を５．１チャンネルの疑似サラウンド音声信号に変換（マルチチャンネル化）する。このイコライザＤＳＰ３１は、特許請求の範囲の第２のイコライザ部に相当する。上述したように、イコライザＤＳＰ３１の機能がオンとなるのは、ユーザが操作子を操作することによってアップミキシングＤＳＰ２２の機能をオフにする指示をした場合である。
【００４２】
すなわち、音源装置１０の音源としてチューナ１２が選択されている場合、ユーザが操作子を操作することによってアップミキシングＤＳＰ２２の機能をオフにする指示をしない限り、サラウンド音声信号および疑似サラウンド音声信号のどちらが音声処理装置２０から出力されるときも、マイコン２３からイコライザＤＳＰ３１に供給されるマルチチャンネル信号により、イコライザＤＳＰ３１の動作は停止する。これに対し、ユーザがアップミキシングＤＳＰ２２の機能をオフにする指示を行うと、マイコン２３からイコライザＤＳＰ３１に供給されるステレオチャンネル信号により、イコライザＤＳＰ３１の機能はオンとなる。
【００４３】
図２は、オーディオＤＳＰ２１の内部構成例を示す図である。図２に示すように、本実施形態のオーディオＤＳＰ２１は、第１のイコライザ部５１と、出力切り替え部５２とを備えている。第１のイコライザ部５１は、音源装置１０から入力される２チャンネルのステレオ音声信号に対してイコライザ処理を行うことによって、５．１チャンネルの疑似サラウンド音声信号を生成する。なお、上述したイコライザＤＳＰ３１（第２のイコライザ部）におけるイコライザ処理は、第１のイコライザ部５１によるイコライザ処理と基本的に同じである。
【００４４】
具体的には、第１のイコライザ部５１は、音源装置１０から入力されるステレオ音声信号に対してイコライザ処理を行うことにより、周波数調整／レベル調整された左信号、右信号および左右混合信号を生成する。そして、周波数調整された左信号をＬ信号／Ｌｓ信号として出力し、周波数調整された右信号をＲ／Ｒｓ信号として出力し、周波数調整およびレベル調整された左右混合信号（＝（Ｌ＋Ｒ）／２）をＣ／ＳｕｂＷ信号として出力する。
【００４５】
ここで、音源装置１０から入力されるＬ信号をハイパスフィルタ５１ａに通すことにより生成した信号をＬ信号として出力するとともに、同じくＬ信号をローパスフィルタ５１ｃに通すことにより生成した信号をＬｓ信号として出力する。また、音源装置１０から入力されるＲ信号をハイパスフィルタ５１ｂに通すことにより生成した信号をＲ信号として出力するとともに、同じくＲ信号をローパスフィルタ５１ｄに通すことにより生成した信号をＲｓ信号として出力する。
【００４６】
さらに、音源装置１０から入力されるＬ信号とＲ信号をアンプ５１ｅ、加算器５１ｆおよびバンドパスフィルタ５１ｇに通すことにより生成した左右混合信号をＣ信号として出力する。また、同じく音源装置１０から入力されるＬ信号とＲ信号をアンプ５１ｅ、加算器５１ｆおよびローパスフィルタ５１ｈに通すことにより生成した左右混合信号をＳｕｂｗ信号として出力する。
【００４７】
出力切り替え部５２は、音源装置１０から供給されるステレオ音声信号、アップミキシングＤＳＰ２２から供給されるサラウンド音声信号、第１のイコライザ部５１により生成された疑似サラウンド音声信号の何れかを切り替えて外部アンプ３０に出力する。
【００４８】
すなわち、出力切り替え部５２は、ユーザによりアップミキシングＤＳＰ２２の機能をオフにする指示が行われておらず、音源装置１０から入力されるステレオ音声信号がデジタル放送の受信によるものである場合には、図３Ａに示すように、アップミキシングＤＳＰ２２にて生成されたサラウンド音声信号を外部アンプ３０に出力するようにスイッチを切り替える。
【００４９】
また、出力切り替え部５２は、ユーザによりアップミキシングＤＳＰ２２の機能をオフにする指示が行われておらず、音源装置１０から入力されるステレオ音声信号がアナログ放送の受信によるものである場合には、図３Ｂに示すように、第１のイコライザ部５１により生成された疑似サラウンド音声信号を外部アンプ３０に出力するようにスイッチを切り替える。
【００５０】
また、出力切り替え部５２は、ユーザによりアップミキシングＤＳＰ２２の機能をオフにする指示が行われている場合には、図３Ｃに示すように、音源装置１０より入力されたステレオ音声信号を外部アンプ３０に出力するようにスイッチを切り替える。
【００５１】
図４は、以上のように構成した本実施形態によるオーディオシステムの動作状態を示す図である。図４（ａ）は、ＨＤラジオのデジタル放送を受信しているときの動作状態を示す。図４（ｂ）は、ＨＤラジオのアナログ放送を受信しているときの動作状態を示す。何れの場合も、ユーザによってアップミキシングＤＳＰ２２の機能をオフにするための指示は行われていないものとする。
【００５２】
図４（ａ）に示すように、チューナ１２でデジタル放送を受信しているとき、アップミキシングＤＳＰ２２の機能はオンとされる。これにより、アップミキシングＤＳＰ２２は、チューナ１２からオーディオＤＳＰ２１を介して入力される２チャンネルのステレオ音声信号に対してアップミックス処理を行うことにより、５．１チャンネルのサラウンド音声信号を生成する。
【００５３】
オーディオＤＳＰ２１は、その内部にある出力切り替え部５２の切り替え動作により、アップミキシングＤＳＰ２２により生成されたサラウンド音声信号を外部アンプ３０のイコライザＤＳＰ３１に供給する。イコライザＤＳＰ３１は、マイコン２３より供給されるマルチチャンネル信号により、動作が停止状態とされている。これにより、イコライザＤＳＰ３１は、オーディオＤＳＰ２１より供給されたサラウンド音声信号を外部アンプ３０より出力する。
【００５４】
一方、図４（ｂ）に示すように、チューナ１２でアナログ放送を受信しているとき、アップミキシングＤＳＰ２２の機能はオフとされる。このとき、オーディオＤＳＰ２１は、その内部にある第１のイコライザ部５１により、チューナ１２から入力される２チャンネルのステレオ音声信号に対してイコライザ処理を行うことにより、５．１チャンネルの疑似サラウンド音声信号を生成する。
【００５５】
そして、オーディオＤＳＰ２１は、その内部にある出力切り替え部５２の切り替え動作により、第１のイコライザ部５１により生成された疑似サラウンド音声信号を外部アンプ３０のイコライザＤＳＰ３１に供給する。イコライザＤＳＰ３１は、チューナ１２でアナログ放送を受信しているときも、マイコン２３より供給されるマルチチャンネル信号により、動作が停止状態とされている。これにより、イコライザＤＳＰ３１は、オーディオＤＳＰ２１より供給された疑似サラウンド音声信号を外部アンプ３０より出力する。
【００５６】
以上詳しく説明したように、本実施形態では、音源装置１０から入力されるステレオ音声信号を処理して外部アンプ３０に出力する音声処理装置２０が、ステレオ音声信号に対してアップミックス処理を行うことによってサラウンド音声信号を生成するアップミキシングＤＳＰ２２と、ステレオ音声信号に対してイコライザ処理を行うことによって疑似サラウンド音声信号を生成するオーディオＤＳＰ２１（第１のイコライザ部５１）と、サラウンド音声信号および疑似サラウンド音声信号の何れかを切り替えて外部アンプ３０に出力するオーディオＤＳＰ２１（出力切り替え部５２）とを備えている。
【００５７】
上記のように構成した本実施形態の音声処理装置２０によれば、音源装置１０の音源としてＨＤラジオのチューナ１２が選択されていて、かつ、当該チューナ１２においてチャンネルセパレーションの良好なデジタル放送が受信されているときに、出力切り替え部５２の切り替えによって、アップミキシングＤＳＰ２２により生成されたサラウンド音声信号を外部アンプ３０に出力することができる。これにより、音源としてＨＤラジオが選択されているときでも、デジタル放送の受信中は、アップミキシングＤＳＰ２２の機能をオンにしてアップミックス機能を有効活用し、例えばDTS Neural Surroundに対応した２チャンネルのダウンミックス信号の特性を活かして高品質の音声を再生することができる。
【００５８】
また、チューナ１２においてチャンネルセパレーションが良好でないアナログ放送を受信しているときであっても、出力切り替え部５２の切り替えによって、５．１チャンネルの疑似サラウンド音声信号が外部アンプ３０に出力されるので、チャンネルの欠落は生じない。このとき出力される疑似サラウンド音声信号は、チャンネルセパレーションの悪い音声信号をアップミックス処理することによって生成されたものではないので、音揺れや音切れの問題も生じない。
【００５９】
さらに、外部アンプ３０に出力される音声信号がサラウンド音声信号から疑似サラウンド音声信号に切り替わっても、マイコン２３から外部アンプ３０に供給される制御信号はマルチチャンネル信号のままで、外部アンプ３０の動作状態を変える必要がない。そのため、切り替えの際のノイズ対策としてミュート処理も不要であり、ミュートによる音切れも生じない。
【００６０】
以上のように、本実施形態によれば、デジタル放送の受信中にはアップミックス機能を有効活用して高品質の音声を外部アンプ３０から出力しつつ、アナログ放送の受信中には音揺れや音切れなどの不快感をユーザに極力与えないようにすることができる。
【００６１】
なお、上記実施形態では、音源装置１０と音声処理装置２０とが別体である構成例について説明したが、本発明はこれに限定されない。例えば、音源装置１０が音声処理装置２０に内蔵される構成であってもよい。
【００６２】
また、上記実施形態では、アップミキシングＤＳＰ２２において、２チャンネルのステレオ音声信号を５．１チャンネルのサラウンド音声信号に変換する例について説明したが、本発明はこれに限定されない。例えば、ステレオ音声信号から生成するサラウンド音声信号は、リアセンターチャンネルを加えた６．１チャンネルや、次世代の７．１チャンネルなど、他のチャンネル数のサラウンド音声信号であってもよい。
【００６３】
この場合、イコライザ処理によって生成する疑似サラウンド音声信号は、サラウンド音声信号のチャンネル数に合わせるのが好ましいが、必須ではない。例えば、サラウンド音声信号は６．１チャンネルまたは７．１チャンネルで、疑似サラウンド音声信号は５．１チャンネルとしてもよい。
【００６４】
また、上記実施形態では、アナログ放送を受信中のときにアップミキシングＤＳＰ２２の機能をオフとする例について説明したが、デジタル放送の受信中と同様にオンのままとしてもよい。この場合、アップミキシングＤＳＰ２２からオーディオＤＳＰ２１に対して５．１チャンネルのサラウンド音声信号が供給されるが、出力切り替え部５２においてこのサラウンド音声信号を選択せず、第１のイコライザ部５１により生成された疑似サラウンド音声信号を選択して出力するようにすればよい。
【００６５】
また、上記実施形態では、音源装置１０の一例としてＨＤラジオのチューナ１２を用いる例について説明したが、本発明はこれに限定されない。デジタル放送およびアナログ放送を切り替えて受信し、２チャンネルのステレオ音声信号を出力可能なものであれば、ＨＤラジオ以外のチューナであってもよい。
【００６６】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６７】
１０  音源装置
１２  チューナ
２０  音声処理装置
２１  オーディオＤＳＰ
２２  アップミキシングＤＳＰ
２３  マイコン
３０  外部アンプ
３１  イコライザＤＳＰ（第２のイコライザ部）
５１  第１のイコライザ部
５２  出力切り替え部
【図１】
2013223217.tif 000003
【図２】
2013223217.tif 000004
【図３Ａ】
2013223217.tif 000005
【図３Ｂ】
2013223217.tif 000006
【図３Ｃ】
2013223217.tif 000007
【図４】
2013223217.tif 000008
【図５】
2013223217.tif 000009
【図６】
2013223217.tif 000010
【図７】
2013223217.tif 000011